(57)【特許請求の範囲】
【請求項１】
分割給電型空中線、複数個の共用装置、および分配器の各要素からなる１つの空中線系を具える放送用送信空中線系システムにおいて、
３波以上を共用する放送用送信空中線系システムであり、
電気的に空中線に最も近い共用装置が故障した場合には、自動または手動により切替えて、前記故障した共用装置に供給されていた双方の高周波信号を前記空中線の一方および他方にそれぞれ給電し、前記最も近い共用装置以外の共用装置のいずれかが故障した場合には、自動または手動により切替えて、前記故障した共用装置に供給されていた双方の高周波信号のうち一方の高周波信号を前記空中線の一方に給電し、前記故障した共用装置に供給されていた双方の高周波信号のうち他方の高周波信号をより電気的に空中線に近い共用装置の一方の高周波信号入力端子に供給する手段を具えてなることを特徴とする放送用送信空中線系システム。
【請求項２】
請求項１記載の放送用送信空中線系システムにおいて、前記自動または手動による切替えには、リンク、電動式の同軸切替器または無接点切替器を使用して行うことを特徴とする放送用送信空中線系システム。
【発明の詳細な説明】
【０００１】
【発明の属する技術分野】
本発明は、分割給電型空中線を使用して複数チヤンネルの放送を行うシステム（空中線共用システム）に係り、特に、システムで使用している複数個の空中線共用装置（以下、単に共用装置と言う）のうち、どの１つが故障してもすべてのチヤンネルの放送を継続することのできる放送用送信空中線系システムに関するものである。
【０００２】
【従来技術】
従来、この種の空中線共用システムにおいては、使用している共用装置のうちの１つが故障するとその共用装置に供給されていたチャンネルの放送ができなくなり、社会問題となっていた。
このような状況を回避するためには、共用装置が故障したときに使用する予備の共用装置を設置せざるを得ないというのが従来からの考え方であったが、共用装置はそれ自体高価であるため、チャンネルごとに異なった仕様のものを予備として一通り取り揃えることは殆ど不可能である。
【０００３】
また、分割給電型空中線を用いて２波共用を行う場合、共用装置の故障に際して、故障した共用装置を通さないで分割給電型空中線を構成している別々の空中線に直接給電することが可能であるが、３波以上共用の場合には、このような方法は採用できない。
【０００４】
なお、本発明者は、複数の空中線、複数の給電線、共用装置、分配器の各要素からなる１つの空中線系を具える放送用送信空中線系システムにおいて、それら要素の１つが故障したとき、空中線系の要素を自動または手動により正常な要素に切替えて放送を継続するシステムを発明（特願2001-136323 号「放送用送信空中線系システム」）した。
【０００５】
しかし、この発明のものは、空中線が複数あり、通常時（どこにも、故障のない状態）には、１つの空中線に２波を供給するシステムを前提とし、もし、いずれかの空中線が故障した場合、その空中線系の要素を自動または手動により正常な空中線系の要素に切替えることによって、故障した空中線に接続されていたチャンネルの放送も他の空中線の共用によって可能としたものであるが、その特許出願明細書においては、３波以上の高周波信号を複数の共用装置を介して１つの分割給電型空中線に供給する空中線共用システムについては言及していない。
【０００６】
【発明が解決しようとする課題】
今後、地上テレビ放送のデジタル化が進むなかで、空中線共用システムはコスト低減化のために一層進められるものと考えられるが、特に、３波以上の空中線共用システムの場合、使用される複数の共用装置のうちどの共用装置が故障するかわからないのに、故障にそなえて予備の共用装置を取り揃えておくということは得策でない。
【０００７】
本発明の目的は、デジタル地上テレビ放送の実施において、３波以上多数波の空中線共用システムが増えることを考慮し、そのような場合、どの共用装置が故障しても予備の共用装置を必要としないですべてのチャンネルの放送を継続可能とする放送用送信空中線系システムを提供することにある。
【０００８】
【課題を解決するための手段】
上記目的を達成するために、本発明放送用送信空中線系システムは、分割給電型空中線、複数個の共用装置、および分配器の各要素からなる１つの空中線系を具える放送用送信空中線系システムにおいて、電気的に空中線に最も近い共用装置が故障した場合には、自動または手動により切替えて、前記故障した共用装置に供給されていた双方の高周波信号を前記空中線の一方および他方にそれぞれ給電し、前記最も近い共用装置以外の共用装置のいずれかが故障した場合には、自動または手動により切替えて、前記故障した共用装置に供給されていた双方の高周波信号のうち一方の高周波信号を前記空中線の一方に給電し、前記故障した共用装置に供給されていた双方の高周波信号のうち他方の高周波信号をより電気的に空中線に近い共用装置の一方の高周波信号入力端子に供給する手段を具えてなることを特徴とするものである。
【０００９】
また、本発明放送用送信空中線系システムは、前記自動または手動による切替えには、リンク、電動式の同軸切替器または無接点切替器を使用して行うことを特徴とするものである。
【００１０】
【発明の実施の形態】
以下に添付図面を参照し、発明の実施の形態に基づいて本発明を詳細に説明する。
まず、本発明を適用する基礎となる空中線共用システムの一構成例について説明する。
図１は、分割給電型空中線を構成している上下各段の空中線に４波の高周波信号（４チャンネルのテレビ信号）を供給するように構成した放送用送信空中線系システムを接続図にて示している。なお、以下の説明においては、使用する３個の共用装置のうち、分割給電型空中線に電気的に最も近い１個を上位の共用装置、それ以外の２個を下位の共用装置と言うことにする。
図１において、１，２は下位の共用装置、３は上位の共用装置、４は分配器、５上段空中線用給電線、６は上段空中線、７は下段空中線用給電線、８は下段空中線、および９，１０は空中線監視装置である。
【００１１】
この放送用送信空中線系システムの動作を説明する。
この送信空中線系システムにおいては、まず、Ａch（チャンネル）とＢchの高周波信号が下位の共用装置１を介して、また、ＣchとＤchの高周波信号が下位の共用装置２を介してそれぞれ上位の共用装置３に供給される。上位の共用装置３では、Ａch，Ｂch，Ｃch，Ｄchの４波の高周波信号を１つにまとめて分配器４に供給する。分配器４からは分配された一方の高周波信号が上段空中線用給電線５を経由して上段空中線６に、また、分配された他方の高周波信号が下段空中線用給電線７を経由して下段空中線８に供給され、それぞれ上段空中線６、下段空中線８から電波として放射される。
【００１２】
本発明は、以上の構成を通常時（どこにも、故障のない状態）の接続状態として、下位の共用装置１，２および上位の共用装置３のいずれかが故障した場合に、その故障した共用装置に高周波信号を供給する高周波信号の信号路（以下、単に信号路と言う）と、分配器４から上段空中線６および下段空中線８に高周波信号を供給する信号路を切り離し、そして新たに、以下に説明するような代替の信号路を形成することにより、すべてのチャンネルの高周波信号が、上段空中線６または下段空中線８の少なくとも一方には供給されているような放送用送信空中線系システムを構成するものである。
【００１３】
また、以下に説明する本発明放送用送信空中線系システムの実施形態においては、上述の信号路の切り離し、代替の信号路形成にＵリンク（以下、単にリンクと言う）を使用して行っている。
リンクによる接続の例としては、上述の特願2001-136323 号「放送用送信空中線系システム」にも記載されているので、参照されたい。
なお、本発明を適用するにあたり、適用の対象となる放送用送信空中線系システムはリンクによる接続を使用して構成されていることが、リンクによる接続替えの前提となることは言うまでもない。
【００１４】
このため、本発明を適用する放送用送信空中線系システムは、通常時（どこにも、故障のない状態）において、図１に示すように、下位の共用装置１の入、出力側においてリンク１１（ｂ8 −ｂ7 ）、リンク１２（ｂ20−ｂ19）、リンク１３（ｂ11−ｂ12）として、下位の共用装置２の入、出力側においてリンク１４（ｂ21−ｂ22）、リンク１５（ｂ10−ｂ9 ）、リンク１６（ｂ13−ｂ14）として、また、上位共用装置３の入、出力側においてリンク１７（ｂ15−ｂ16）、リンク１８（ｂ17−ｂ18）、リンク１９（ｂ6 −ｂ5 ）としてそれぞれリンクによる接続がなされている。また、分配器４の出力側においてリンク２０（ｂ1 −ｂ2 ）、リンク２１（ｂ3 −ｂ4 ）としてそれぞれリンクによる接続がなされている。
【００１５】
いま、上記の接続状態で運用中、上位の共用装置３が故障したとする。
図２は、この場合において、リンクの接続替えを行うことにより、Ａch，Ｂch，Ｃch，Ｄchの４波すべてを放送し得るようにした本発明放送用送信空中線系システムの接続図を示している。
図２において、まず、下位の共用装置１，２の出力高周波信号を故障した上位の共用装置３に供給する信号路を切り離すために、リンク１７（ｂ15−ｂ16）、リンク１８（ｂ17−ｂ18）（図１参照）を切り離す。また、それとともに、分配器４からの出力高周波信号を上段空中線６および下段空中線８に供給するリンク２０（ｂ1 −ｂ2 ）、リンク２１（ｂ3 −ｂ4 ）（図１参照）を切り離す。
【００１６】
次に、下位の共用装置１，２の出力高周波信号がそれぞれ上段空中線６および下段空中線８に直接供給されるようにするために、本発明では、コネクタｂ15とｂ2 の間をリンク２２で接続し（黒の太い線で示す）、また、コネクタｂ17とｂ4 の間をリンク２３で接続する（黒の太い線で示す）。このような接続を行うことで、Ａch，Ｂchの高周波信号は上段空中線６にのみ、Ｃch，Ｄchの高周波信号は下段空中線８にのみ供給されることになる。
【００１７】
本発明の別の例として、いま、通常時（どこにも、故障のない状態）の接続状態で運用中、下位の共用装置１が故障したとする。
図３は、この場合において、リンクの接続替えを行うことにより、Ａch，Ｂch，Ｃch，Ｄchの４波すべてを放送し得るようにした本発明放送用送信空中線系システムの接続図を示している。
図３において、まず、故障した下位の共用装置１にＡch，Ｂchの高周波信号を供給する信号路を切り離すために、リンク１１（ｂ8 −ｂ7 ）、リンク１２（ｂ20−ｂ19）（図１参照）を切り離す。また、図２に示したのと同じく、分配器４からの出力高周波信号を上段空中線６および下段空中線８に供給するリンク２０（ｂ1 −ｂ2 ）、リンク２１（ｂ3 −ｂ4 ）（図１参照）を切り離す。
【００１８】
次に、Ａchの高周波信号のみが上段空中線６に、それ以外のチャンネルの高周波信号が下段空中線８に供給されるようにするために、本発明では、黒の太い線で示すように、コネクタｂ8 とｂ2 の間をリンク２４で接続し（これにより、Ａchの高周波信号のみが上段空中線６に供給される。）、コネクタｂ20とｂ16の間をリンク２５で接続で接続し（黒の太い線で示す）、さらにコネクタｂ6 とｂ4 の間をリンク２６で接続する（黒の太い線で示す）。このような接続を行うことで、Ａchの高周波信号のみが上段空中線６に、Ｂch，Ｃch，Ｄchの高周波信号が下段空中線８に供給されることになる。
【００１９】
さらに、本発明の別の例として、いま、通常時（どこにも、故障のない状態）の接続状態で運用中、下位の共用装置２が故障したとする。
図４は、この場合において、リンクの接続替えを行うことにより、Ａch，Ｂch，Ｃch，Ｄchの４波すべてを放送し得るようにした本発明放送用送信空中線系システムの接続図を示している。
図４において、まず、故障した下位の共用装置２にＣch，Ｄchの高周波信号を供給する信号路を切り離すために、リンク１４（ｂ21−ｂ22）、リンク１５（ｂ10−ｂ9 ）（図１参照）を切り離す。また、図２に示したのと同じく、分配器４からの出力高周波信号を上段空中線６および下段空中線８に供給するリンク２０（ｂ1 −ｂ2 ）、リンク２１（ｂ3 −ｂ4 ）（図１参照）を切り離す。
【００２０】
次に、Ｄchの高周波信号のみが下段空中線８に、それ以外のチャンネルの高周波信号が上段空中線６に供給されるようにするために、本発明では、黒の太い線で示すように、コネクタｂ10とｂ4 の間をリンク２７で接続し（これにより、Ｄchの高周波信号のみが下段空中線８に供給される。）、コネクタｂ21とｂ18の間をリンク２８で接続し（黒の太い線で示す）、さらにコネクタｂ6 とｂ2 の間をリンク２９で接続する（黒の太い線で示す）。このような接続を行うことで、Ｄchの高周波信号のみが下段空中線８に、Ａch，Ｂch，Ｃchの高周波信号が上段空中線６に供給されることになる。
【００２１】
以上説明した本発明の実施形態においては、リンクによる接続替えを行うに際して、放送電波の周波数や電力によってはリンクに同軸ケーブルを使用することができず、金属製の同軸型給電線しか使用できない場合もあるので、その場合には、コネクタは接続替えが可能な位置に配置されている必要がある。
【００２２】
また、以上においては、Ａch，Ｂch，Ｃch，Ｄchからなる４チャンネルの高周波信号を３個の共用装置で合成し、分割給電型空中線を構成している上下段空中線６，８に供給して放送する放送用送信空中線系システムについて説明したが、本発明は上述例に限られるものでなく、広く一般に、４個以上の共用装置を使用して、５チャンネル以上の信号を放送する空中線共用システムにも適用することができる。
【００２３】
このような場合においても、上述例と同様、下位の共用装置が故障した場合、故障した共用装置に供給される２チャンネルの高周波信号のうちの一方を上下段のいずれか一方の空中線に、同じく故障した共用装置に供給される２チャンネルの高周波信号のうちの他方を上位の共用装置にそれぞれ供給することにより、すべてのチャンネルの電波を確保することができる。
【００２４】
また、以上の説明においては、信号路の接続替えはリンクを用いて行うものとしたが、これは、リンクに限らず、例えば、電動式の同軸切替器、無接点切替器などあらゆる種類の切替器の使用が可能である。また、切替制御も送信所内でのリモート制御や遠隔地からの制御、あるいはセンサを使用し、センサが共用装置の故障を検出したとき自動切替えを行うように構成することも可能である。
【００２５】
最後に、本発明によりすべてのチャンネルの電波を確保するにあたっては、共用装置のうちの１個が故障して信号路の接続替えを行うことにより、共用装置が故障していない通常の状態での運用と異なってある部分には過大な負荷がかかり、逆にある部分では負荷が軽くなるというアンバランスが生じるため、空中線や給電線を故障時の接続替えによる最大負荷に耐えるものにしておく必要がある。
【００２６】
【発明の効果】
本発明によれば、共用装置のうちの１個が故障した場合、高価な予備の共用装置を用意しておき、それに切替えるなどのことをしなくても、通常送信しているすべてのチャンネルの電波を確保できるので、当面、この状態で放送を続け、その間に故障したものと同一仕様のものを取り寄せ交換するなどが可能となる。
【００２７】
また、本発明によれば、いずれかの共用装置が故障した場合、リンク、電動式の同軸切替器、あるいは無接点切替器などを操作して放送用送信空中線への高周波信号の信号路の接続替えを行うことで、すべてのチャンネルの電波確保が可能となり、従って、予備の共用装置の用意を不要とすることから、送信所運用の面で経済性に寄与するところが大きい。
【００２８】
今後、地上デジタル放送の進展に伴い、コストメリットが一段と重要な要素となるので、空中線や鉄塔の共用システムがますます使われるようになるものと考えられる。この場合、空中線や鉄塔の共用システムに欠くことのできない空中線共用装置のうちの１個が故障したときのために、予備の装置を用意を不要とする本発明放送用送信空中線系システムは送信所運用の経済性を一層進めるものであることは間違いない。
【図面の簡単な説明】
【図１】  分割給電型空中線を構成している上下各段の空中線に４波の高周波信号を供給するように構成した放送用送信空中線系システムを接続図にて示している。
【図２】  上位の共用装置が故障したとき、リンクの接続替えを行うことにより、Ａch，Ｂch，Ｃch，Ｄchの４波すべてを放送し得るようにした本発明放送用送信空中線系システムの接続図を示している。
【図３】  下位の共用装置が故障したとき、リンクの接続替えを行うことにより、Ａch，Ｂch，Ｃch，Ｄchの４波すべてを放送し得るようにした本発明放送用送信空中線系システムの接続図を示している。
【図４】  下位の共用装置が故障したとき、リンクの接続替えを行うことにより、Ａch，Ｂch，Ｃch，Ｄchの４波すべてを放送し得るようにした本発明放送用送信空中線系システムの接続図を示している。
【符号の説明】
１，２  下位の共用装置
３  上位の共用装置
４  分配器
５  上段空中線用給電線
６  上段空中線
７  下段空中線用給電線
８  下段空中線
９，１０  空中線監視装置
１１，１２，１３，１４，１５，１６，１７，１８，１９，２０，２１，２２，２３，２４，２５，２６，２７，２８，２９  リンク
【図１】
0003831240.tif 000002
【図２】
0003831240.tif 000003
【図３】
0003831240.tif 000004
【図４】
0003831240.tif 000005